(57)【特許請求の範囲】
【請求項１】
ブラケットに固定されたワイパモータの出力軸と、ピボットホルダにて回転自在に支持されたピボット軸とがリンク機構にて駆動連結されたワイパ装置であって、
前記ワイパモータは、前記ブラケットに固定される複数の取付足を有し、該複数の取付足は、前記ブラケットに対する固定基準位置に固定される第１取付足を含み、
前記ブラケットには、前記固定基準位置に配置された前記第１取付足を囲繞する囲繞壁と、前記複数の取付足のうちの前記第１取付足とは異なる第２取付足に対して前記第１取付足の軸線を中心とする周方向両側にそれぞれ当接する一対の当接壁と、前記囲繞壁に囲われた位置に形成された第１取付孔と、前記一対の当接壁の間に形成された第２取付孔とを有し、
前記第２取付孔は、前記第１取付足の軸線を中心とする径方向に延びた長孔であり、
前記ワイパモータは、前記第１及び第２取付孔を介して前記第１及び第２取付足にそれぞれ螺着されるねじによって前記ブラケットに対して締結固定されることを特徴とするワイパ装置。
【請求項２】
請求項１に記載のワイパ装置において、
前記囲繞壁及び前記当接壁は、前記ブラケットの取付面から突出形成され、
前記囲繞壁は、前記取付面からの突出長さが前記当接壁よりも長く設定されていることを特徴とするワイパ装置。
【請求項３】
請求項１又は２に記載のワイパ装置において、
前記一対の当接壁の間は、前記第１取付足の軸線を中心とする径方向に開放されていることを特徴とするワイパ装置。
【発明の詳細な説明】
【技術分野】
【０００１】
本発明は、車両に搭載されるワイパ装置に関するものである。
【背景技術】
【０００２】
従来、車両用のワイパ装置には、車両に固定されるピボットホルダに回転自在に支持されたピボット軸とワイパモータの出力軸とがリンク機構にて駆動連結された、所謂モジュール型のワイパ装置が知られている（例えば特許文献１参照）。このようなワイパ装置では、ワイパモータの回転出力がリンク機構によってピボット軸の往復回動に変換され、そのピボット軸に連結されたワイパにてフロントガラスの雨滴等が払拭される。このようなワイパ装置のワイパモータは、例えばピボットホルダ等に設けられたブラケットに取り付けられている。特許文献１のワイパ装置では、ワイパモータに複数の取付足が設けられており、ブラケットに形成された複数の取付孔を介して前記取付足にそれぞれねじが螺着されることで、ワイパモータがブラケットに対して固定されている。
【先行技術文献】
【特許文献】
【０００３】
【特許文献１】特開２００９−２３４４１９号公報
【発明の概要】
【発明が解決しようとする課題】
【０００４】
しかしながら、上記のようなワイパ装置では、ブラケットとワイパモータと固定する際、ブラケットのねじ孔とワイパモータの取付足との位置合わせが難しく、それらの位置ずれが固定不良を招く要因となっていた。
【０００５】
本発明は、上記課題を解決するためになされたものであって、その目的は、ワイパモータをブラケットに対して容易に位置決めすることができるワイパ装置を提供することにある。
【課題を解決するための手段】
【０００６】
上記課題を解決するために、請求項１に記載の発明は、ブラケットに固定されたワイパモータの出力軸と、ピボットホルダにて回転自在に支持されたピボット軸とがリンク機構にて駆動連結されたワイパ装置であって、前記ワイパモータは、前記ブラケットに固定される複数の取付足を有し、該複数の取付足は、前記ブラケットに対する固定基準位置に固定される第１取付足を含み、前記ブラケットには、前記固定基準位置に配置された前記第１取付足を囲繞する囲繞壁と、前記複数の取付足のうちの前記第１取付足とは異なる第２取付足に対して前記第１取付足の軸線を中心とする周方向両側にそれぞれ当接する一対の当接壁と、前記囲繞壁に囲われた位置に形成された第１取付孔と、前記一対の当接壁の間に形成された第２取付孔とを有し、前記第２取付孔は、前記第１取付足の軸線を中心とする径方向に延びた長孔であり、前記ワイパモータは、前記第１及び第２取付孔を介して前記第１及び第２取付足にそれぞれ螺着されるねじによって前記ブラケットに対して締結固定されることを特徴とする。
【０００７】
この発明では、ワイパモータの第１取付足がブラケットの囲繞壁に嵌め込まれることで、第１取付足をブラケットに対する固定基準位置に位置決めできる。さらに、第２取付足を一対の当接壁の間に嵌め込むことで、第１取付足の軸線を中心とする周方向に第２取付足を位置決めできる。このように第１及び第２取付足が位置決めされることで、ワイパモータをブラケットに対して容易に位置決めすることができる。
【０００９】
この発明では、第２取付足に対応する第２取付孔が第１取付足の軸線を中心とする径方向に延びた長孔であるため、第１取付足と第２取付足との間隔に寸法誤差が生じてしまっても、その寸法誤差が許容され、ワイパモータのねじ締め固定が可能となる。
【００１０】
請求項２に記載の発明は、請求項１に記載のワイパ装置において、前記囲繞壁及び前記当接壁は、前記ブラケットの取付面から突出形成され、前記囲繞壁は、前記取付面からの突出長さが前記当接壁よりも長く設定されていることを特徴とする。
【００１１】
この発明では、ワイパモータをブラケットに組み付ける際に、第１取付足を囲繞壁に嵌め込んで固定基準位置に位置決めした後、その第１取付足を基準として第２取付足を一対の当接壁の間に嵌め込むことで、第２取付足の位置決めをすることができる。これにより、ワイパモータのブラケットに対する組み付けが容易となる。
【００１２】
請求項３に記載の発明は、請求項１又は２に記載のワイパ装置において、前記一対の当接壁の間は、前記第１取付足の軸線を中心とする径方向に開放されていることを特徴とする。
【００１３】
この発明では、第１取付足と第２取付足との間隔に寸法誤差が生じてしまっても、その寸法誤差が許容され、第２取付足を当接壁間に嵌め込むことが可能となる。
【発明の効果】
【００１４】
従って、上記記載の発明によれば、ワイパモータをブラケットに対して容易に位置決めすることができる。
【図面の簡単な説明】
【００１５】
【図１】ワイパ装置の平面図。
【図２】ワイパモータの側面図。
【図３】ブラケットを取付面側から見た平面図。
【図４】囲繞壁及び当接壁の側面図。
【図５】別例のブラケットの平面図。
【図６】別例のブラケットの平面図。
【図７】別例のブラケットの平面図。
【発明を実施するための形態】
【００１６】
以下、本発明を具体化した一実施形態を図面に従って説明する。
図１に示す本実施形態のワイパ装置１０は、自動車のフロントガラス（図示略）を払拭するものであり、フロントガラス下部のカウルトップパネル（図示略）内に配設されている。
【００１７】
ワイパ装置１０は、ワイパモータ１１と一対のピボット軸１２ａ，１２ｂとがリンク機構１３にて駆動連結されてなる。一対のピボット軸１２ａ，１２ｂは、車体側に固定される一対のピボットホルダ１４ａ，１４ｂにそれぞれ回動可能に支持されている。各ピボット軸１２ａ，１２ｂの先端部には、ワイパアーム（図示略）の基端部が固定される。このワイパアームの先端部には、フロントガラスを払拭するワイパブレード（図示略）が装着される。一方、各ピボット軸１２ａ，１２ｂの基端部には、ピボットレバー１５ａ，１５ｂが固定されている。
【００１８】
ピボットホルダ１４ａ，１４ｂは、ワイパ装置１０の長手方向両端部にそれぞれ配置されている。各ピボットホルダ１４ａ，１４ｂには、車体に固定される固定脚２０が一体形成されている。一方のピボットホルダ１４ａ（図１において右側のもの）には、ワイパ装置１０の長手方向内側に延びる延出部２１を介してブラケット２２が一体形成されている。ブラケット２２は、ワイパ装置１０の長手方向の略中央部に位置している。このブラケット２２の裏面側の取付面２３（図３参照）には、ワイパモータ１１が固定されている。
【００１９】
ブラケット２２には、ピボットホルダ１４ｂ側に棒状に延びる取付片２４が形成されている。取付片２４は、パイプフレーム２５の一端に嵌合されてかしめ固定されている。パイプフレーム２５の他端には、ピボットホルダ１４ｂに形成された取付片（図示略）が嵌合されてかしめ固定されている。つまり、ピボットホルダ１４ａ，１４ｂは、パイプフレーム２５を介して互いに連結されている。
【００２０】
リンク機構１３は、前記ピボットレバー１５ａ，１５ｂ、リンクロッド１６、駆動ロッド１７及びクランクアーム１８からなる。各ピボットレバー１５ａ，１５ｂの先端部はリンクロッド１６により互いに連結されている。また、一方のピボットレバー１５ｂ（図１において左側のもの）の先端部には、リンクロッド１６と並んで駆動ロッド１７の一端が連結されている。駆動ロッド１７の他端は、ワイパモータ１１の出力軸３４に一体回転可能に固定されたクランクアーム１８に連結されている。
【００２１】
図２に示すように、ワイパモータ１１は、モータ部３１と減速部３２が一体に構成されてなる。モータ部３１は、そのモータ軸がブラケット２２に対して平行となっている（図１参照）。モータ部３１の出力側端部には、減速部３２のギヤケース３３が固定されている。ギヤケース３３の側面には、ブラケット２２に固定される第１取付足４１、第２取付足４２及び第３取付足４３がそれぞれ突出形成されている。モータ部３１の回転出力は、ギヤケース３３内の減速ギヤ（図示略）にて減速され、ギヤケース３３からブラケット２２側の側面に突出する出力軸３４に出力されるようになっている。図１に示すように、出力軸３４は、ブラケット２２に形成された挿通孔３５を介してブラケット２２の裏面側（取付面２３側）から表面側に突出している。この出力軸３４には、前記クランクアーム１８の基端部が一体回転可能に固定されている。
【００２２】
ワイパモータ１１の駆動により出力軸３４が回転すると、クランクアーム１８が回動し、該クランクアーム１８の回動運動により駆動ロッド１７及びリンクロッド１６を介してピボットレバー１５ａ，１５ｂが往復揺動運動される。そして、各ピボットレバー１５ａ，１５ｂの揺動によりピボット軸１２ａ，１２ｂが所定角度範囲で往復回動し、各ピボット軸１２ａ，１２ｂの先端部にそれぞれ固定される前記ワイパアームが揺動されて所定の払拭動作が行われるようになっている。
【００２３】
上記のワイパ装置１０において、ワイパモータ１１とブラケット２２の固定構造について説明する。図２に示すように、ワイパモータ１１のギヤケース３３に形成された各取付足４１〜４３は円筒状をなし、出力軸３４を中心として周方向等間隔（１２０度間隔）に設けられている。各取付足４１〜４３の先端面は、同一平面状に位置するとともに、平面状をなすブラケット２２の取付面２３と当接している。また、各取付足４１〜４３の先端面には、ねじ孔３６が凹設されている。なお、各取付足４１〜４３の外径及びねじ孔３６の径は、互いに等しく設定されている。
【００２４】
図３に示すように、ブラケット２２には、ワイパモータ１１の取付足４１〜４３にそれぞれ対応する位置に第１取付孔５１、第２取付孔５２及び第３取付孔５３が形成されている。各取付孔５１〜５３は、挿通孔３５の周囲に形成されるとともに、ワイパモータ１１の組付方向に貫通している。第１取付孔５１は円形をなし、その径はねじ孔３６の径よりも若干大きく設定されている。この第１取付孔５１の形成位置は、ワイパモータ１１をブラケット２２に組み付ける際の固定基準位置とされる。第２取付孔５２は、第１取付孔５１の軸線（第１取付足４１の軸線と一致）を中心とする径方向に延びた長孔となっている。第３取付孔５３は、第１取付孔５１の径よりも大きい円形をなしている。第１〜第３取付孔５１〜５３の中心は、挿通孔３５の中心（出力軸３４の軸線と一致）に対して周方向等間隔に位置している。
【００２５】
各取付足４１〜４３のねじ孔３６には、ブラケット２２の表面側（取付面２３の反対側）から各取付孔５１〜５３を介してねじ３７（図１参照）が螺着されている。これにより、ワイパモータ１１のギヤケース３３がブラケット２２に固定されている。
【００２６】
ブラケット２２の取付面２３には、第１及び第２取付孔５１，５２にそれぞれ対応する位置に囲繞壁５４及び一対の当接壁５５が立設されている。囲繞壁５４は円筒状をなし、取付面２３から垂直に突出している。また、囲繞壁５４は、その中心軸が第１取付孔５１の中心軸と一致するように形成されている。囲繞壁５４の内径は、ワイパモータ１１の第１取付足４１の外径よりも若干大きく設定されており、第１取付足４１は囲繞壁５４に嵌合されている。つまり、囲繞壁５４は、ワイパモータ１１の組み付けの際に、第１取付足４１を固定基準位置に位置決めする。
【００２７】
一対の当接壁５５は、取付面２３から垂直に突出しており、その内側面（対向面）は平面状をなしている。この一対の当接壁５５は、第１取付足４１の軸線を中心とする周方向に第２取付孔５２を挟むように並設されている。つまり、第２取付孔５２は一対の当接壁５５の間に位置している。また、各当接壁５５は、平面視で第２取付孔５２の長手方向と平行な長尺状をなしている。一対の当接壁５５は、第２取付孔５２に配置された第２取付足４２に対して、第１取付足４１の軸線を中心とする周方向両側にそれぞれ当接している。つまり、一対の当接壁５５は、ワイパモータ１１の組み付けの際に、第１取付足４１の軸線を中心とする周方向に第２取付足４２を位置決めする。なお、図４に示すように、囲繞壁５４の取付面２３からの突出長さＤ１（ワイパモータ１１の組付方向に沿った長さ）は、当接壁５５の取付面２３からの突出長さＤ２よりも長く設定されている。
【００２８】
次に、ブラケット２２に対するワイパモータ１１の組み付け態様について本実施形態の作用と併せて説明する。
ワイパモータ１１をブラケット２２に組み付ける際には、取付面２３と直交する方向からワイパモータ１１を組み付ける。このとき、まず第１取付足４１を囲繞壁５４の内周面に嵌合させる。これにより、第１取付足４１が固定基準位置に位置決めされる。この状態では、第１取付足４１が囲繞壁５４によって軸支された状態となり、ワイパモータ１１は第１取付足４１を中心として回動自在となっている。
【００２９】
次に、ワイパモータ１１を第１取付足４１を中心として回動させて第２取付足４２の位置を調整しつつ、その第２取付足４２を一対の当接壁５５の間に嵌め込む。これにより、第２取付足４２が第１取付足４１の固定基準位置を中心とする周方向に位置決めされる。ここで、第２取付足４２が嵌め込まれる当接壁５５間の空間は、第１取付足４１の固定基準位置を中心とする径方向においては開放された空間となっている。これにより、第１取付足４１と第２取付足４２との間隔に寸法誤差が生じてしまっても、その寸法誤差が許容され、第２取付足４２を当接壁５５間に嵌め込むことが可能となっている。このように第１及び第２取付足４１，４２が位置決めされると、ワイパモータ１１における組付方向と直交する平面方向の位置が決定される。
【００３０】
次に、各取付足４１〜４３の先端面をブラケット２２の取付面２３に当接させる。すると、各取付足４１〜４３の先端面のねじ孔３６がブラケット２２の各取付孔５１〜５３と重なる。この状態で、ブラケット２２の表面側（取付面２３の反対側）から各取付孔５１〜５３を介してねじ３７を螺着することで、ワイパモータ１１のギヤケース３３がブラケット２２の取付面２３に締結固定される。ここで、第２取付孔５２は、第１取付孔５１の軸線（固定基準位置）を中心とする径方向に延びた長孔であるため、第１取付足４１と第２取付足４２との間隔に寸法誤差が生じてしまっても、その寸法誤差が許容され、第２取付孔５２の範囲内に第２取付足４２のねじ孔３６が収まるようになっている。また、第３取付孔５３の径は、第１取付孔５１の径よりも大きく形成されている。これにより、第３取付足４３の形成位置にばらつきが生じていても、そのばらつきが許容され、第３取付孔５３の範囲内に第３取付足４３のねじ孔３６が収まるようになっている。
【００３１】
次に、本実施形態の特徴的な効果を記載する。
（１）ワイパモータ１１は、ブラケット２２に固定される複数の取付足４１〜４３を有し、該複数の取付足４１〜４３は、ブラケット２２に対する固定基準位置に固定される第１取付足４１を含む。ブラケット２２には、固定基準位置に配置された第１取付足４１を囲繞する囲繞壁５４と、第２取付足４２に対して第１取付足４１の軸線を中心とする周方向両側にそれぞれ当接する一対の当接壁５５とが立設される。このため、ワイパモータ１１の第１取付足４１がブラケット２２の囲繞壁５４に嵌め込まれることで、第１取付足４１をブラケット２２に対する固定基準位置に位置決めできる。さらに、第２取付足４２を一対の当接壁５５の間に嵌め込むことで、第１取付足４１の軸線を中心とする周方向に第２取付足４２を位置決めできる。このように第１及び第２取付足４１，４２が位置決めされることで、ワイパモータ１１をブラケット２２に対して容易に位置決めすることができる。
【００３２】
（２）ブラケット２２は、囲繞壁５４に囲われた位置に形成された第１取付孔５１と、一対の当接壁５５の間に形成された第２取付孔５２とを有し、第１及び第２取付孔５１，５２を介して第１及び第２取付足４１，４２にそれぞれ螺着されたねじ３７によってワイパモータ１１がブラケット２２に対して締結固定される。そして、第２取付孔５２は、第１取付足４１の軸線を中心とする径方向に延びた長孔である。このため、第１取付足４１と第２取付足４２との間隔に寸法誤差が生じてしまっても、その寸法誤差が許容され、ワイパモータ１１のねじ締め固定が可能となる。
【００３３】
（３）囲繞壁５４は、ワイパモータ１１の組付方向に沿った長さ（突出長さＤ１）が当接壁５５の突出長さＤ２よりも長く設定される。このため、ワイパモータ１１をブラケット２２に組み付ける際に、第１取付足４１を囲繞壁５４に嵌め込んで固定基準位置に位置決めした後、その第１取付足４１を基準として第２取付足４２を一対の当接壁５５の間に嵌め込むことで、第２取付足４２の位置決めをすることができる。これにより、ワイパモータ１１のブラケット２２に対する組み付けが容易となる。
【００３４】
（４）一対の当接壁５５の間は、第１取付足４１の軸線（固定基準位置）を中心とする径方向に開放されるため、第１取付足４１と第２取付足４２との間隔に寸法誤差が生じてしまっても、その寸法誤差が許容され、第２取付足４２を当接壁５５間に嵌め込むことが可能となる。
【００３５】
尚、本発明の実施形態は、以下のように変更してもよい。
・上記実施形態において、第２取付足４２の位置決め部としての一対の当接壁５５の構成を図５に示すような構成してもよい。図５に示すように、第２取付孔５２に対応する位置には、一対の当接壁５５を含む環状壁６１が第２取付足４２の位置決め部として形成されている。このような構成によっても、上記実施形態の効果（１）を得ることができる。
【００３６】
・上記実施形態では、囲繞壁５４は円筒状に形成されたが、これに特に限定されるものではなく、例えば図６に示すように、四角筒状に形成してもよい。このような構成によっても、上記実施形態と略同様の効果を得ることができる。なお、上記実施形態及び図６に示す例では、囲繞壁５４が環状の壁にて構成されているが、第１取付足４１の位置決めが可能であれば、環状ではなく分割された形状であってもよい。
【００３７】
・上記実施形態では、各取付足４１〜４３の外形形状を円形としたが、これに特に限定されるものではなく、例えば図７に示すように、各取付足４１〜４３の外形形状を正方形としてもよい。このような構成によっても、上記実施形態と略同様の効果を得ることができる。
【００３８】
・上記実施形態では、囲繞壁５４の突出長さＤ１が当接壁５５の突出長さＤ２よりも長く設定されたが、これ以外に例えば、囲繞壁５４の突出長さＤ１と当接壁５５の突出長さＤ２を等しく設定してもよい。また、囲繞壁５４の突出長さＤ１と当接壁５５の突出長さＤ２を等しく構成した場合、第１取付足４１の突出長さを第２取付足４２の突出長さよりも長く設定すれば、上記実施形態の効果（３）と略同様の効果を得ることができる。
【００３９】
・上記実施形態では、囲繞壁５４及び一対の当接壁５５をブラケット２２の取付面２３に立設された壁としたが、これ以外に例えば、取付面２３に凹設された壁として構成してもよい。
【００４０】
・上記実施形態では、第２取付孔５２を長孔としたが、これ以外に例えば、円形の孔としてもよい。
・上記実施形態では、取付足４１〜４３の個数、及びそれに対応する取付孔５１〜５３の個数を３つとしたが、これに特に限定されるものではなく、２つ以上の構成であれば、構成に応じて適宜変更してもよい。
【００４１】
・上記実施形態では、ブラケット２２は、一方のピボットホルダ１４ａに一体に形成されたが、これに特に限定されるものではなく、ブラケット２２の配置位置は構成に応じて適宜変更してもよい。
【００４２】
・上記実施形態では、各取付足４１〜４３とブラケット２２とがねじ３７によって締結固定される構成としたが、これ以外に例えば、各取付足４１〜４３とブラケット２２とが接着固定される構成としてもよい。
【符号の説明】
【００４３】
１０…ワイパ装置、１１…ワイパモータ、１２ａ，１２ｂ…ピボット軸、１３…リンク機構、１４ａ，１４ｂ…ピボットホルダ、２２…ブラケット、３４…出力軸、３７…ねじ、４１…第１取付足、４２…第２取付足、４３…第３取付足、５１…第１取付孔、５２…第２取付孔、５３…第３取付孔、５４…囲繞壁、５５…当接壁、Ｄ１…囲繞壁の突出長さ、Ｄ２…当接壁の突出長さ。
【図１】
0005779112.tif 000002
【図２】
0005779112.tif 000003
【図３】
0005779112.tif 000004
【図４】
0005779112.tif 000005
【図５】
0005779112.tif 000006
【図６】
0005779112.tif 000007
【図７】
0005779112.tif 000008